【手続補正書】
【提出日】平成18年11月27日(2006.11.27)
【手続補正１】
【補正対象書類名】明細書
【補正対象項目名】特許請求の範囲
【補正方法】変更
【補正の内容】
【特許請求の範囲】
【請求項１】  インクを収容すると共に書き換え可能な不揮発性メモリを備えたカートリッジが装着可能であり、該カートリッジのインクを印刷媒体に移して印刷を行なう印刷装置であって、
書き換え可能な本体側メモリと、
前記印刷媒体への印刷の実行に伴って消費される前記カートリッジ内のインク量に関する情報を、所定ビット数のデータとして、前記本体側メモリに記憶する情報書込手段と、
前記情報書込手段が前記本体側メモリに記憶する前記インク量に関する情報を、前記データの上位ビットから求めることによって、前記ビット数より少ないビット数のデータに変換して、前記カートリッジに備えられた不揮発性メモリに書き込むメモリ書込手段と
を備えた印刷装置。
【請求項２】  請求項１記載の印刷装置であって、
前記メモリ書込手段は、前記インク量に関する情報を、全３２ビットのデータのうちの上位８ビットから求める印刷装置。
【請求項３】  請求項１記載の印刷装置であって、
電源が投入されたとき、前記本体側メモリに記憶された前記インク量に関する情報と、前記不揮発性メモリに記憶された変換後のデータとの対応関係を判定する判定手段と、
該判定手段により両者が対応していると判定されたとき、前記本体側メモリに記憶された前記ビット数のデータを用いて、その後のインク量に関する処理を行なわせるインク量処理制御手段と
を備える印刷装置。
【請求項４】  請求項１記載の印刷装置であって、
電源が投入されたとき、前記本体側メモリに記憶された前記インク量に関する情報と、前記不揮発性メモリに記憶された変換後のデータとの対応関係を判定する判定手段と、
該判定手段により両者が対応していないと判定されたとき、前記不揮発性メモリに記憶された前記ビット数のデータを換算して、該データに対応するインク量に関する情報を前記本体側メモリに前記所定ビット数のデータとして書き込むと共に、該データを用いてその後のインク量に関する処理を行なわせるインク量処理制御手段と
を備える印刷装置。
【請求項５】  請求項１記載の印刷装置であって、
前記カートリッジの不揮発性メモリは、該カートリッジを識別する識別情報を記憶する領域を有し、更に、
電源投入時および／または前記カートリッジの交換時に、該不揮発性メモリに記憶された前記識別情報を読み出す識別情報読出手段と、
該読み出した識別情報を保存しておく識別情報保存手段と、
該読み出した識別情報と前記保存されていた識別情報とを比較して、両者の一致を判定する一致判定手段と、
該判定手段により両者が一致していると判定されたとき、前記本体側メモリに記憶された前記ビット数のデータを用いて、その後のインク量に関する処理を行なわせるインク量処理制御手段と
を備える印刷装置。
【請求項６】  請求項１記載の印刷装置であって、
前記カートリッジの不揮発性メモリは、該カートリッジを識別する識別情報を記憶する領域を有し、更に、
電源投入時および／または前記カートリッジの交換時に、該不揮発性メモリに記憶された前記識別情報を読み出す識別情報読出手段と、
該読み出した識別情報を保存しておく識別情報保存手段と、
該読み出した識別情報と前記保存されていた識別情報とを比較して、両者の一致を判定する一致判定手段と、
該判定手段により両者が一致していないと判定されたとき、前記不揮発性メモリに記憶された前記ビット数のデータを換算して、該データに対応するインク量に関する情報を前記本体側メモリに前記所定ビット数のデータとして書き込むと共に、該データを用いてその後のインク量に関する処理を行なわせるインク量処理制御手段と
を備える印刷装置。
【請求項７】  請求項１記載の印刷装置であって、
前記カートリッジの不揮発性メモリは、該カートリッジを識別する識別情報を記憶する領域を有し、更に、
前記情報書込手段は、
電源投入時および／または前記カートリッジの交換時に、該不揮発性メモリに記憶された前記識別情報を読み出す識別情報読出手段と、
該読み出した識別情報を用い、前記インク量に関する情報を、該識別情報の異なるカートリッジ別に、本体側メモリに保存する手段と
を備え、
前記カートリッジの交換がなされ得た場合には、前記不揮発性メモリから読み出した前記識別情報を用いて、前記本体側メモリの内容を検索し、一致するカートリッジに関する前記情報が存在するか否かを判定する判定手段と、
該判定手段により一致するカートリッジに関する情報が存在すると判定された場合に、該情報を利用して、その後のインク量に関する処理を行なわせるインク量処理制御手段を備えた
印刷装置。
【請求項８】  請求項７記載の印刷装置であって、
前記インク量処理制御手段は、前記一致するカートリッジに関する情報が存在すると判定されたとき、
前記本体側メモリに記憶された前記インク量に関する情報と、前記不揮発性メモリに記憶された該カートリッジに対応した前記変換後のデータとの対応関係を判定する判定手段と、
該判定手段により両者が対応していると判定されたとき、前記その後のインク量に関する処理を、前記本体側メモリに記憶された前記一致するカートリッジについての前記ビット数のデータを用いて行なわせる手段と
を備えた印刷装置。
【請求項９】  請求項７記載の印刷装置であって、
前記インク量処理制御手段は、前記一致するカートリッジに関する情報が存在すると判定されたとき、
前記本体側メモリに記憶された前記インク量に関する情報と、前記不揮発性メモリに記憶された該カートリッジに対応した変換後のデータとの対応関係を判定する判定手段と、
該判定手段により両者が対応していないと判定されたとき、前記不揮発性メモリに記憶された前記ビット数のデータを換算して該データに対応するインク量に関する情報を求める手段と、
該情報を、前記本体側メモリの前記一致したカートリッジに対応付けて、前記所定ビット数のデータとして書き込む手段と
を備えた印刷装置。
【請求項１０】  前記本体側メモリは、前記不揮発性メモリより、大容量のメモリである請求項１記載の印刷装置。
【請求項１１】  前記本体側メモリは、前記不揮発性メモリより、高速なアクセスが可能なメモリである請求項１記載の印刷装置。
【請求項１２】  前記メモリ書込手段は、印刷装置の電源オフ時および／または前記カートリッジの交換時に、前記情報の書込を行なう手段である請求項１記載の印刷装置。
【請求項１３】  前記情報書込手段は、１頁分の印刷が完了した時に前記情報の書込を行なう手段である請求項１記載の印刷装置。
【請求項１４】  請求項１記載の印刷装置であって、
前記情報書込手段は、１以上のラスタ分の印刷が完了した時に前記情報の書込を行なう手段である印刷装置。
【請求項１５】  請求項１記載の印刷装置であって、
前記カートリッジに収容されたインクを前記印刷媒体に吐出させる印字ヘッドと、
所定の操作を受けて、前記印字ヘッドから所定の量のインクを吐出させるヘッドクリーニングを行なうクリーニング手段と
を備えると共に、
前記情報書込手段は、該クリーニング手段が動作した時にも前記情報の書き込みを行なう手段である印刷装置。
【請求項１６】  請求項１記載の印刷装置であって、
前記不揮発性メモリは、シリアルアクセスによりデータの授受を行なうタイプのメモリであり、
前記メモリ書込手段は、前記情報を、アドレス指定用のクロックに同期して前記不揮発性メモリに書き込む手段である
印刷装置。
【請求項１７】  前記本体側メモリは、前記不揮発性メモリへのデータの書き込みを直接制御する制御用ＩＣ内に設けられた請求項１記載の印刷装置。
【請求項１８】  請求項１記載の印刷装置であって、
前記カートリッジに収容されたインクを前記印刷媒体に吐出させる印字ヘッドと、
前記カートリッジは、前記印字ヘッドが設けられ前記印刷媒体に対して往復動されるキャリッジ上に装着可能であり、
前記本体側メモリは、該キャリッジ上に設けられた
印刷装置。
【請求項１９】  請求項１記載の印刷装置であって、
前記カートリッジとして、黒色インクを収納した黒色インクカートリッジと、複数のカラーインクを収納したカラーインクカートリッジとを、装着可能であり、
前記メモリ書込手段は、該黒色インクカートリッジとカラーインクカートリッジの各々に備えられた前記不揮発メモリに、それぞれ前記情報を書き込む手段を備えた
印刷装置。
【請求項２０】  インクを収容すると共に書き換え可能な不揮発性メモリを備えたカートリッジが装着可能であり、該カートリッジのインクを印刷媒体に移して印刷を行なう印刷装置の情報を管理する方法であって、
前記印刷媒体への印刷の実行に伴って消費される前記カートリッジ内のインク量に関する情報を、所定ビット数のデータとして、前記印刷装置の本体側に設けられた書き換え可能な本体側メモリに記憶し、
前記本体側メモリに記憶するインク量に関する情報を、前記データの上位ビットから求めることによって、前記ビット数より少ないビット数のデータに変換して、前記カートリッジに備えられた不揮発性メモリに書き込む
情報の管理方法。
【請求項２１】  インクを収容すると共に書き換え可能な不揮発性メモリを備え、印刷装置に装着して用いられるカートリッジであって、
前記不揮発性メモリは、印刷の実行に伴って消費される前記カートリッジ内のインク量に関する情報が、該情報を印刷装置側が扱う際の所定ビット数のデータの上位ビットから求めることによって、前記印刷装置側で扱われているビット数より少ないビット数に変換されて書き込まれる、
カートリッジ。
【請求項２２】  請求項２１記載のカートリッジであって、
前記不揮発性メモリは、前記印刷装置の電源オフ時および／または前記カートリッジの交換時に、前記情報が書き込まれるカートリッジ。
【請求項２３】  前記不揮発性メモリはＥＥＰＲＯＭである請求項２１記載のカートリッジ。
【請求項２４】  請求項２１記載のカートリッジであって、
前記不揮発性メモリは、シリアルアクセスによりデータの授受を行なうタイプのメモリであり、アドレス指定用のクロックに同期して、前記情報が書き込まれるカートリッジ。
【請求項２５】  請求項２１記載のカートリッジであって、
前記書き込まれるデータは、前記印刷装置側で扱われている全３２ビットのデータの上位８ビットのデータであるカートリッジ。
【請求項２６】  請求項２１記載のカートリッジであって、
複数種類のインクを収容するインク収容室を有し、
前記不揮発性メモリは、該インクの種類に応じて前記データが書き込まれる
カートリッジ。
【請求項２７】  請求項２６記載のカートリッジであって、
前記インク収容室は、少なくとも異なる３種類のインクを収容する３つ以上に区画され、
前記不揮発性メモリは、前記各インクの量に関連する情報をそれぞれ独立して格納する複数の情報記憶領域を有し、
その複数の情報記憶領域にはそれぞれ２バイト以下の容量が割り当てられている
カートリッジ。
【請求項２８】  請求項２６記載のカートリッジであって、
前記インク収容室は、少なくとも異なる５種類のインクを収容する５つ以上に区画され、
前記不揮発性メモリは、前記各インクの量に関連する情報をそれぞれ独立して格納する複数の情報記憶領域を有し、
その複数の情報記憶領域にはそれぞれ２バイト以下の容量が割り当てられている
カートリッジ。
【請求項２９】  インクを収容すると共に書き換え可能な不揮発性メモリを備えたカートリッジが装着可能であり、該カートリッジのインクを印刷媒体に移して印刷を行なう印刷装置の情報を扱うプログラムを、コンピュータに読み取り可能に記録した記録媒体であって、
前記印刷媒体への印刷の実行に伴って消費される前記カートリッジ内のインク量に関する情報を、所定ビット数のデータとして、前記印刷装置の本体側に設けられた書き換え可能な本体側メモリに記憶する機能と、
前記本体側メモリに記憶されるインク量に関する情報を、そのデータの上位ビットから求めることによって、前記ビット数より少ないビット数のデータに変換して、前記カートリッジに備えられた不揮発性メモリに書き込む機能と
をコンピュータにより実現させるプログラムを記録した記録媒体。
【請求項３０】  請求項２１記載のカートリッジであって、
前記カートリッジには、前記インクに代えて、印刷用のトナーが収容されており、
前記不揮発性メモリに書き込まれるインク量に関する情報は、トナー量に関する情報である
カートリッジ。